(57)【要約】【課題】セパレート型の空気調和機において、室内機と室外機間での電力搬送時に発生する電力損失を低減できる。【解決手段】室内機と圧縮機を具備した室外機によって構成され、商用電源からの交流電力を室内機で受電するセパレート型の空気調和機において、商用電源からの交流電力が室内機の中に配置された交流直流電力変換部によって直流電力に変換され、交流直流電力変換部で変換された直流電力は室内機制御回路に供給されるとともに、室内機と室外機とを接続する接続線を介して室外機に送電され、室外機制御回路および圧縮機駆動用インバータを動作させるように構成する。【選択図】図３
2012172913.tif 000002
【特許請求の範囲】
【請求項１】
室内機と圧縮機を具備した室外機によって構成され、商用電源からの交流電力を室内機で受電するセパレート型の空気調和機において、
商用電源からの交流電力が前記室内機の中に配置された交流直流電力変換部によって直流電力に変換され、
前記交流直流電力変換部で変換された直流電力は室内機制御回路に供給されるとともに、前記室内機と前記室外機とを接続する接続線を介して前記室外機に送電され、室外機制御回路および圧縮機駆動用インバータを動作させるように構成したことを特徴とした空気調和機。
【請求項２】
請求項１に記載の空気調和機であって、
前記交流直流電力変換部は、商用電源からの交流電力を前記室内機制御回路に供給される直流電力に変換する平滑整流回路と、
商用電源からの交流電力を前記室外機制御回路および前記圧縮機駆動用インバータを動作させるための直流電力に変換するパッシブ型コンバータ回路とで構成されることを特徴とした空気調和機。
【請求項３】
請求項１に記載の空気調和機であって、
前記交流直流電力変換部は、商用電源からの交流電力を前記室内機制御回路と前記室外機制御回路と前記圧縮機駆動用インバータを動作させるための直流電力に変換するパッシブ型コンバータ回路で構成されることを特徴とした空気調和機。
【請求項４】
請求項１に記載の空気調和機であって、
前記交流直流電力変換部は、商用電源からの交流電力を前記室内機制御回路に供給される直流電力に変換する平滑整流回路と、
商用電源からの交流電力を前記室外機制御回路および前記圧縮機駆動用インバータを動作させるための直流電力に変換する際に、入力される交流電力の力率改善と出力される直流電力の電圧を昇圧する機能を併せもつＰＦＣコンバータ回路とで構成されることを特徴とした空気調和機。
【請求項５】
請求項１に記載の空気調和機であって、
前記交流直流電力変換部は、商用電源からの交流電力を前記室内機制御回路と前記室外機制御回路と前記圧縮機駆動用インバータを動作させるための直流電力に変換する際に、入力される交流電力の力率改善と出力される直流電力の電圧を昇圧する機能を併せもつＰＦＣコンバータ回路で構成されることを特徴とした空気調和機。
【請求項６】
請求項４又は５に記載の空気調和機であって、
前記室内機制御回路には前記室外機制御回路とのデータ送受信を行う室内通信回路を具備し、
前記室外機制御回路には前記室内機制御回路とのデータ送受信を行う室外通信回路を具備し、
圧縮機の駆動状態に関するデータが前記室外通信回路から前記室内通信回路へ送信され、前記室内機制御回路では受信した圧縮機の駆動状態に関するデータに基づいて前記ＰＦＣコンバータ回路の昇圧や停止の動作を制御することを特徴とした空気調和機。
【発明の詳細な説明】
【技術分野】
【０００１】
本発明は、商用電源からの交流電力を室内機で受電する室内外セパレート型の空気調和機に関する。
【背景技術】
【０００２】
図１０に従来技術による空気調和機の構成図を示す。
【０００３】
一般家庭用の空気調和機に関しては、室内機１００と室外機１０１によって構成されるセパレート型のものが普及しており、これらは室内の壁に埋め込まれたコンセント１０３から商用電源の交流電力を室内機１００で受電するものが多い。
【０００４】
室内機１００には室内ファンモータ９や風向きをコントロールする風向ルーバ制御用モータ１０が室内機制御回路７で制御されている。
【０００５】
一方、室外機１０１においては、熱交換器への送風を行う室外ファンモータ３５や冷凍サイクル内の冷媒の循環方向を冷房暖房によって切り替える四方弁３６が室外機制御回路３１で制御されており、近年では冷凍サイクル内の冷媒を圧縮する圧縮機３４を可変速制御できる圧縮機駆動用インバータ３０によって駆動させるものが主流である。
【０００６】
商用電源からの交流電力は、一旦、室内機１００で受電され、室内機１００に設けられた整流平滑回路２１などで交流電力から直流電力へ変換され室内機を動作させる室内機制御回路７へ送られるとともに、室内機１００と室外機１０１を電気的に接続する室内外接続配線２０を介して室外機へも搬送されている。
【０００７】
更に、室内外接続配線２０は室内機１００から室外機１０１へ電力搬送を行うものの他に、室内機１００と室外機１０１間における情報データの送受信に用いられるものもある。
【０００８】
室内外接続配線２０を介して搬送された商用電源からの交流電力は、室外機１０１内に設けられたパッシブ型コンバータ回路２２や、入力される交流電力の力率改善と出力される直流電力の電圧を昇圧する機能を併せもつＰＦＣコンバータ回路によって直流電力に変換され圧縮機３４を駆動する圧縮機駆動用インバータ３０や室外機制御回路３１へ配電される。
【０００９】
また、特許文献１、特許文献２などに開示された空気調和機においては、室内機で受電した商用電源の交流電力を接続線により室外機に搬送した後に、室外機内の交流直流電力変換回路で低圧直流に変換された電力を再び室内機に搬送するといった構成が記載されている。
【先行技術文献】
【特許文献】
【００１０】
【特許文献１】特開平１１−２８７５０３号公報
【特許文献２】特開平１１−３０４２１７号公報
【発明の概要】
【発明が解決しようとする課題】
【００１１】
しかしながら、上述したような構成のセパレート型の空気調和機では、いずれの場合に
おいても室内機から室外機へ商用電源からの交流電力の搬送が接続線を介して行われており、その交流電力の電圧値は概ね１００Ｖ又は２００Ｖであり、またその電流値は空気調和機の能力にもよるが、最大で２０Ａ程度となる。
【００１２】
室内機と室外機を電気的に接続する接続線においては電気的な抵抗成分が存在し、その影響で多くの電流が流れれば流れるほど電力損失が増大してしまい、室外機に配された圧縮機を駆動する電力が製品の消費電力の大半を占める空気調和機においては、この接続線における電力損失は無視できない問題である。
【００１３】
家屋やその周囲環境によって、屋内に設置された室内機と屋外に設置された室外機との距離が遠くなれば、なおさらこの接続線における電力損失が家庭内のエネルギー消費に悪影響を及ぼしてしまうことになる。
【００１４】
一方で、セパレート型ではなく室内機と室外機の機能や部品を一体化した空気調和機は、家屋への設置の自由度がなく、市場での需要は期待できず、空気調和機の各機器を配線接続する構成は、商品として成立させる上ではでは避けられない要素である。
【００１５】
本発明は、前述の問題点を解決するものであって、室内機と室外機との間における電力搬送で発生する電力損失を最大限に抑制しつつ、更には低コスト化も実現可能な空気調和機を提供することを目的とする。
【課題を解決するための手段】
【００１６】
前記従来の課題を解決するために、本発明の空気調和機は、室内機と圧縮機を具備した室外機によって構成され、商用電源からの交流電力を室内機で受電するセパレート型のものであって、商用電源からの交流電力が前記室内機の中に配置された交流直流電力変換部によって直流電力に変換され、前記交流直流電力変換部で変換された直流電力は室内機制御回路に供給されるとともに、前記室内機と前記室外機とを接続する接続線を介して前記室外機に送電され、室外機制御回路および圧縮機駆動用インバータを動作させるように構成したことを特徴とする。
【００１７】
これにより、室内機と室外機との間における電力搬送で発生する電力損失を最大限に抑制した省エネルギー性の高い空気調和機を実現することができる。
【発明の効果】
【００１８】
本発明に係る空気調和機によれば、室内機と室外機との間における電力搬送で発生する電力損失を最大限に抑制することが可能である上に、室内機のみに交流直流電力変換部を設けることで、製品全体における、部品数削減や電子基板の小型化、コストダウンの効果が期待できる。
【図面の簡単な説明】
【００１９】
【図１】実施の形態１における空気調和機の室内機側の構成を示す説明図
【図２】実施の形態１における空気調和機の室外機側の構成を示す説明図
【図３】実施の形態１における空気調和機を配電システムに接続した様子を示す図
【図４】実施の形態２における空気調和機の構成を示す図
【図５】実施の形態２における配線の電力損失特性を示す図
【図６】実施の形態３における空気調和機の構成を示す図
【図７】実施の形態４における空気調和機の構成を示す図
【図８】実施の形態５における空気調和機の構成を示す図
【図９】実施の形態６における空気調和機の室内機側と室外機側の制御フローの一部を示す図
【図１０】従来技術による空気調和機の構成を示す図
【発明を実施するための形態】
【００２０】
第１の発明は、室内機と圧縮機を具備した室外機によって構成され、商用電源からの交流電力を室内機で受電するセパレート型の空気調和機において、商用電源からの交流電力が室内機の中に配置された交流直流電力変換部によって直流電力に変換され、交流直流電力変換部で変換された直流電力は室内機制御回路に供給されるとともに、室内機と室外機とを接続する接続線を介して室外機に送電され、室外機制御回路および圧縮機駆動用インバータを動作させるように構成したことを特徴とするものである。
【００２１】
これにより、室内機と室外機との間における電力搬送で発生する電力損失を最大限に抑制した省エネルギー性の高い空気調和機を実現することができる。
【００２２】
第２の発明は、特に第１の発明の交流直流電力変換部が、商用電源からの交流電力を室内機制御回路に供給される直流電力に変換する平滑整流回路と、商用電源からの交流電力を室外機制御回路および圧縮機駆動用インバータを動作させるための直流電力に変換するパッシブ型コンバータ回路とで構成されることを特徴とするものである。
【００２３】
これにより、商用電源からの交流電力の力率を改善しつつ、室内機と室外機との間における電力搬送で発生する電力損失を最大限に抑制した省エネルギー性の高い空気調和機を実現することができる。
【００２４】
第３の発明は、特に第１の発明の交流直流電力変換部が、商用電源からの交流電力を室内機制御回路と室外機制御回路と圧縮機駆動用インバータを動作させるための直流電力に変換するパッシブ型コンバータ回路で構成されることを特徴とするものである。
【００２５】
これにより、製品全体における、部品数削減や電子基板の小型化、コストダウンが図れ、商用電源からの交流電力の力率を改善しつつ、室内機と室外機との間における電力搬送で発生する電力損失を最大限に抑制した省エネルギー性の高い空気調和機を実現することができる。
【００２６】
第４の発明は、特に第１の発明の交流直流電力変換部が、商用電源からの交流電力を室内機制御回路に供給される直流電力に変換する平滑整流回路と、商用電源からの交流電力を室外機制御回路および圧縮機駆動用インバータを動作させるための直流電力に変換する際に、入力される交流電力の力率改善と出力される直流電力の電圧を昇圧する機能を併せもつＰＦＣコンバータ回路とで構成されることを特徴とするものである。
【００２７】
これにより、商用電源からの交流電力の力率を改善し、製品への入力電流が大きくても電源高調波規制を満足しながら、室内機と室外機との間における電力搬送で発生する電力損失を最大限に抑制した省エネルギー性の高い空気調和機を実現することができる。
【００２８】
第５の発明は、特に第１の発明の交流直流電力変換部が、商用電源からの交流電力を室内機制御回路と室外機制御回路と圧縮機駆動用インバータを動作させるための直流電力に変換する際に、入力される交流電力の力率改善と出力される直流電力の電圧を昇圧する機能を併せもつＰＦＣコンバータ回路で構成されることを特徴とするものである。
【００２９】
これにより、製品全体における、部品数削減や電子基板の小型化、コストダウンが図れ、商用電源からの交流電力の力率を改善し、製品への入力電流が大きくても電源高調波規制を満足しながら、室内機と室外機との間における電力搬送で発生する電力損失を最大限に抑制した省エネルギー性の高い空気調和機を実現することができる。
【００３０】
第６の発明は、第４又は第５の発明のうちいずれかの発明において、室内機制御回路には室外機制御回路とのデータ送受信を行う室内通信回路を具備し、室外機制御回路には室内機制御回路とのデータ送受信を行う室外通信回路を具備し、圧縮機の駆動状態に関するデータが室外通信回路から室内通信回路へ送信され、室内機制御回路では受信した圧縮機の駆動状態に関するデータに基づいてＰＦＣコンバータ回路の昇圧や停止の動作を制御することを特徴とするものである。
【００３１】
これにより、室外機側の圧縮機の駆動状態に応じて室内機側のＰＦＣコンバータ回路の動作を制御することができるので、省エネルギー性や安全性といった観点での最適運転が常時行われるという機能を付加した空気調和機を実現することができる。
【００３２】
本発明は、第１の発明から第６の発明の要部を実施の形態とすることにより本発明の目的を達成できるため、各請求項に対応する実施の形態の詳細を、以下に図面を参照しながら説明し、本発明を実施するための形態の説明とする。
【００３３】
なお、本実施の形態によって本発明が限定されるものではない。
【００３４】
また、各実施の形態の説明において、同一構成並びに同一作用効果を奏するところには、同一符号を付して重複した説明を行わないものとする。
【００３５】
（実施の形態１）
図１は、本発明の実施の形態１における空気調和機の室内機側の構成を示す説明図である。
【００３６】
室内機１００には、交流電力が搬送されている宅内配電のコンセントに差込可能な電源プラグ１０４が、電源コード１２を介して接続されている。
【００３７】
電源プラグ１０４からの電源コード１２は、室内機１００内において交流直流電力変換部１に接続され、交流直流電力変換部１では交流電力から直流電力に変換される。
【００３８】
交流直流電力変換部１からは正側配線２と負側配線３によって室内外通信部８を含んだ室内機制御回路７に直流電力が搬送される。
【００３９】
室内機制御回路７においては直流電力を利用して、室内ファンモータ９や風向ルーバ制御用モータ１０が制御される。
【００４０】
交流直流電力変換部１からは正側配線２と負側配線３とは別に直流電力を搬送するための正側配線４と負側配線５が配されており、それぞれ接続端子１１ａと接続端子１１ｂに接続されている。
【００４１】
また、室内機制御回路７には室外機との通信を制御する室内外通信部８があり、接続端子１１ｃに接続された通信用配線６によってデータ搬送が行われる。
【００４２】
図２は、本発明の実施の形態１における空気調和機の室外機側の回路構成を示す説明図である。
【００４３】
接続端子３３ａに接続された正側配線４は、室外機１０１内において直流電力を三相交流電力に変換する圧縮機駆動用インバータ３０と室外機制御回路３１に接続されている。
【００４４】
また、接続端子３３ｂに接続された負側配線５も、室外機１０１内において直流電力を三相交流電力に変換する圧縮機駆動用インバータ３０と室外機制御回路３１に接続されている。
【００４５】
圧縮機駆動用インバータ３０の出力は圧縮機３４に入力されている。
【００４６】
室外機制御回路３１においては直流電力を利用して、熱交換器への送風を行う室外ファンモータ３５や冷凍サイクル内の冷媒の循環方向を冷房暖房によって切り替える四方弁３６が制御される。
【００４７】
また、室外機制御回路３１には室内機との通信を制御する室内外通信部３２があり、接続端子３３ｃに接続された通信用配線６によってデータ搬送が行われる。
【００４８】
図３は、図１に示す室内機１００と図２に示す室外機１０１を室内外接続配線２０によって接続し、更に宅内配電システムに接続した様子を示す図である。
【００４９】
宅内に設置された配電盤１０２には、商用電源からの交流電力を搬送する宅内配線１３が接続されている。
【００５０】
配電盤１０２に接続された宅内配線１３の他端側には、コンセント１０３が接続されており、電源プラグ１０４をコンセント１０３に差し込むことによって概ね１００Ｖ程度の電圧の交流電力が一旦、室内機１００に供給され、交流直流電力変換部１で平滑整流された１００Ｖ以上の電圧の直流電力に変換され、その直流電力が室内外接続配線２０を介して室外機１０１に供給される。
【００５１】
上述してきた構成によって、本実施の形態１においては、空気調和機における室内機と室外機間の電力搬送において、従来の構成によって行われていた交流電力の搬送での電圧値よりも高い値の電圧での直流電力搬送が行われることで室外機が同じ能力の運転をしていても室内外接続配線に流れる電流値が少なくなり、この箇所における抵抗成分と電流値の二乗を乗算した結果で表される電力損失が減少させることが可能となった。
【００５２】
（実施の形態２）
次に、本発明の実施の形態２について図面を参照して説明する。
【００５３】
本実施の形態２では、図４に示すように、室内機１００内の交流直流電力変換部１において、室内機制御回路７に供給される直流電力を出力する整流平滑回路２１と室外機１０１に供給される直流電力を出力するパッシブ型コンバータ回路２２とを設ける構成とした。
【００５４】
なお、室外機１０１の構成に関しては、実施の形態１で説明したものをそのまま利用しているため、説明を省略する。
【００５５】
室内機制御回路７に供給される直流電力を出力する整流平滑回路２１では、ダイオードブリッジ５０で商用電源からの交流電力を整流し、平滑コンデンサ５１で電圧リップルを抑制した直流電力に変換される。
【００５６】
整流平滑回路２１に１００Ｖの電圧値の交流電力が入力されると、正側配線２と負側配線３間において概ね１４０Ｖ程度の直流電力が出力され、室内機制御回路７に入力される。
【００５７】
一方、室外機１０１に供給される直流電力を出力するパッシブ型コンバータ回路２２は、ダイオードブリッジ５２と二段積みした平滑コンデンサ５３ａと５３ｂで倍電圧整流回路を構成し、その入力側に力率改善用のリアクタ５４を配するものとした。
【００５８】
パッシブ型コンバータ回路２２に１００Ｖの電圧値の交流電力が入力されると、正側配線４と負側配線５間において概ね２８０Ｖ程度の直流電力が出力され、室内外接続配線２０を介して室外機１０１に入力される。
【００５９】
ここで、従来例にも示した１００Ｖの交流電力が室内機から室外機に搬送される場合と、パッシブ型コンバータ回路２２によって変換された２８０Ｖの直流電力が搬送される場合における室内外接続配線２０での電力損失について比較する。
【００６０】
例えば、室内機と室外機間を接続する室内外接続配線２０の長さを５ｍとすると、正側配線４と負側配線５とを合わせて１０ｍの配線長となり、ここで使用される電線の単位あたりの電気抵抗が９Ω／ｋｍとしたならば、室内外接続配線２０において９０ｍΩの電気抵抗成分が存在することになる。
【００６１】
図５は、横軸を電流値、縦軸を電力損失とした９０ｍΩの電気抵抗における特性グラフを示したものであり、電力損失は電流値の二乗に抵抗値を乗算した結果となる関係より得られるものである。
【００６２】
１００Ｖの交流電力が室内機から室外機に搬送され、室外機の消費電力が１５００Ｗで運転されていたとすると、室内外接続配線２０においては、正側配線４と負側配線５にはおおよそ実効値で１５Ａの電流が流れることになり、図５に示した特性グラフから約２０．３Ｗの電力損失が発生することになる。
【００６３】
しかしながら、２８０Ｖの直流電力が室内機から室外機に搬送され、同様に室外機の消費電力が１５００Ｗで運転されていたとすると、室内外接続配線２０においては、正側配線４と負側配線５にはおおよそ５．３６Ａの電流が流れることになり、図５に示した特性グラフから約２．６Ｗの電力損失で抑制されることになる。
【００６４】
本発明の実施の形態２では、室外機の消費電力が１５００Ｗで運転されていた場合、従来の１００Ｖの交流電力が室内機から室外機に搬送される場合に比べ、上述した理論計算からも明らかなように約１７．７Ｗの電力損失改善が達成できた。
【００６５】
（実施の形態３）
次に、本発明の実施の形態３について図面を参照して説明する。
【００６６】
本実施の形態３では、図６に示すように、室内機１００内の交流直流電力変換部１において、室内機制御回路７と室外機１０１に供給される直流電力を出力するパッシブ型コンバータ回路２２のみを設ける構成とした。
【００６７】
なお、室外機１０１の構成に関しては、実施の形態１で説明したものをそのまま利用しているため、説明を省略する。
【００６８】
室内機制御回路７と室外機１０１に供給される直流電力を出力するパッシブ型コンバータ回路２２は、ダイオードブリッジ５２と二段積みした平滑コンデンサ５３ａと５３ｂで倍電圧整流回路を構成し、その入力側に力率改善用のリアクタを配するものとした。
【００６９】
パッシブ型コンバータ回路２２に１００Ｖの電圧値の交流電力が入力されると、概ね２
８０Ｖ程度の直流電力が出力され、正側配線２と負側配線３によって室内機制御回路７へ、また、正側配線４と負側配線５によって室外機１０１に入力されるようにした。
【００７０】
上述した構成によって、本実施の形態３においても、実施の形態２と同様の効果が得られる上に、交流直流電力変換部１における回路部品を最小限にとどめることによって機器の小型化、低コスト化が実現可能なものとなっている。
【００７１】
（実施の形態４）
次に、本発明の実施の形態４について図面を参照して説明する。
【００７２】
本実施の形態４では、図７に示すように、室内機１００内の交流直流電力変換部１において、室内機制御回路７に供給される直流電力を出力する整流平滑回路２１と室外機１０１に供給される直流電力に変換する際に、入力される交流電力の力率改善と出力される直流電力の電圧を昇圧する機能を併せもつＰＦＣコンバータ回路２３とを設ける構成とした。
【００７３】
なお、室外機１０１の構成に関しては、実施の形態１で説明したものをそのまま利用しているため、説明を省略する。
【００７４】
室内機制御回路７に供給される直流電力を出力する整流平滑回路２１では、ダイオードブリッジ５０で商用電源からの交流電力を整流し、平滑コンデンサ５１で電圧リップルを抑制した直流電力に変換される。
【００７５】
整流平滑回路２１に１００Ｖの電圧値の交流電力が入力されると、正側配線２と負側配線３間において概ね１４０Ｖ程度の直流電力が出力され、室内機制御回路７に入力される。
【００７６】
一方、室外機１０１に供給される直流電力を出力するＰＦＣコンバータ回路２３には、実施の形態２で示したパッシブ型コンバータ回路２２に設けた部品の他に、交流電力を搬送する配線の片側と直流電力を搬送する負側配線５との間には第２のダイオードブリッジ５５が接続され、この第２のダイオードブリッジ５５の両出力端には例えばＩＧＢＴやＭＯＳＦＥＴなどからなるスイッチング素子５６が接続されている。
【００７７】
ＰＦＣコンバータ回路２３には、スイッチング素子５６がオンした場合のリアクタ５４及び第２のダイオードブリッジ５５を介して流れる電流によって交流電力の力率を改善しながら、スイッチング素子５６のオンやオフのタイミングを制御することによって可能な出力される直流電力の電圧を昇圧する機能が備えられている。
【００７８】
ＰＦＣコンバータ回路２３の出力される直流電力の昇圧機能によって、１００Ｖの電圧値の交流電力が入力に対し、正側配線４と負側配線５間において概ね３８０Ｖ程度の直流電力が出力され、室内外接続配線２０を介して室外機１０１に入力されるようにした。
【００７９】
ここで、実施の形態２と同様の条件で、室内機と室外機間を接続する室内外接続配線２０の長さを５ｍ、９０ｍΩの電気抵抗成分が存在するとした場合で、３８０Ｖの直流電力が室内機から室外機に搬送され、同様に室外機の消費電力が１５００Ｗで運転されていたとすると、室内外接続配線２０においては、正側配線４と負側配線５にはおおよそ３．９５Ａの電流が流れることになり、図５に示した特性グラフから約１．４０Ｗの電力損失となる。
【００８０】
本発明の実施の形態４では、室外機の消費電力が１５００Ｗで運転されていた場合、従
来の１００Ｖの交流電力が室内機から室外機に搬送される場合の電力損失、約２０．３Ｗに比べ、約１８．９Ｗの電力損失改善を達成した。
【００８１】
商用電源からより多くの有効電力を取り出せ、多くの有効電力を負荷の機器に供給することにより機器の最大能力を増大することができる点や、近年問題となりつつある電源の高調波電流を低減でき、電源高調波規制を満足しながら、室内機と室外機との間における電力搬送で発生する電力損失を最大限に抑制した省エネルギー性の高い空気調和機を実現することができた。
【００８２】
（実施の形態５）
次に、本発明の実施の形態５について図面を参照して説明する。
【００８３】
本実施の形態５では、図８に示すように、室内機１００内の交流直流電力変換部１において、室内機制御回路７と室外機１０１に供給される直流電力を出力するＰＦＣコンバータ回路２３のみを設ける構成とした。
【００８４】
なお、室外機１０１の構成に関しては、実施の形態１で説明したものをそのまま利用しているため、説明を省略する。
【００８５】
室内機制御回路７と室外機１０１に供給される直流電力を出力するＰＦＣコンバータ回路２３には、スイッチング素子５６がオンした場合のリアクタ５４及び第２のダイオードブリッジ５５を介して流れる電流によって交流電力の力率を改善しながら、スイッチング素子５６のオンやオフのタイミングを制御することによって可能な出力される直流電力の電圧を昇圧する機能が備えられている。
【００８６】
ＰＦＣコンバータ回路２３に１００Ｖの電圧値の交流電力が入力されると、概ね３８０Ｖ程度の直流電力が出力され、正側配線２と負側配線３によって室内機制御回路７へ、また、正側配線４と負側配線５によって室外機１０１に入力されようにした。
【００８７】
上述した構成によって、本実施の形態５においても、実施の形態４と同様の効果が得られる上に、交流直流電力変換部１における回路部品を最小限にとどめることによって機器の小型化、低コスト化が実現可能なものとなっている。
【００８８】
（実施の形態６）
次に、本発明の実施の形態６について図面を参照して説明する。
【００８９】
本実施の形態６では、実施の形態４や実施の形態５で示した構成の空気調和機において、室内機制御回路７には室外機制御回路３１とのデータ送受信を行う室内外通信部８を、室外機制御回路３１には室内機制御回路７とのデータ送受信を行う室内外通信部３２を設け、室内外通信部３２から圧縮機の駆動状態に関するデータが室内外通信部８へ送信し、室内機制御回路７では受信した圧縮機の駆動状態に関するデータに基づいてＰＦＣコンバータ回路２３の昇圧や停止の動作を制御するようにした。
【００９０】
図９は、本発明の実施の形態６における空気調和機の室内機側と室外機側の制御フローの一部を示す図である。
【００９１】
まず、室内機制御回路７は、使用者がリモコンを通じて入力した設定温度や、図示しない温度センサから室温情報を取得する（Ｓｔｅｐ１）。次に、室内機制御回路７は、それらの情報に基いて圧縮機３４の回転数を演算し（Ｓｔｅｐ２）、その回転数値を室内外通信部８を介して室内外通信部３２へ伝達する（Ｓｔｅｐ３）。室内外通信部３２を介して
回転数値を受けた室外機制御回路３１は、その回転数値で圧縮機３４が回転するように圧縮機３４を制御する（Ｓｔｅｐ４）。
【００９２】
室外機制御回路３１は圧縮機３４の状態を常に監視しており、圧縮機３４の駆動状態に関する駆動情報（実回転数情報や異常データ）を室内外通信部３２を介して室内外通信部８へ伝達する（Ｓｔｅｐ５）。そして、室内外通信部８を介して駆動情報を受けた室内機制御回路７は、圧縮機３４の駆動状態に関する駆動情報の中の異常データを参照し、圧縮機３４に異常が認められない場合はＰＦＣコンバータ回路２３の動作判断を行い、逆に、圧縮機３４に異常が認められた場合はＰＦＣコンバータ回路２３の停止判断を行う（Ｓｔｅｐ６）。また、圧縮機３４の駆動状態に関する駆動情報の中の実回転数情報によってＰＦＣコンバータ回路２３の出力電圧をどれだけ昇圧するかを演算し（Ｓｔｅｐ７）、ＰＦＣコンバータ回路２３の動作判断や昇圧電圧値、あるいは、停止判断によってスイッチング素子５６のスイッチング動作を行うか否か、スイッチング動作を行う場合のスイッチング時間などが制御される（Ｓｔｅｐ８）。
【００９３】
これにより、室外機側の圧縮機の駆動状態に応じて室内機側のＰＦＣコンバータ回路の動作を制御することができるので、省エネルギー性や安全性といった観点での最適運転が常時行われるという機能を付加した空気調和機を実現することができた。
【００９４】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００９５】
本発明は、空気調和機に限らず、商用電源からの交流電力を住宅やビル内に配電するシステムに接続される電気機器全般に適用することが可能である。
【符号の説明】
【００９６】
１  交流直流電力変換部
２、４  正側配線
３、５  負側配線
６  通信用配線
７  室内機制御回路
８、３２  室内外通信部
９  室内ファンモータ
１１ａ、１１ｂ、１１ｃ、３３ａ、３３ｂ、３３ｃ  接続端子
１２  電源コード
１３  宅内配線
２０  室内外接続配線
２１  整流平滑回路
２２  パッシブ型コンバータ回路
２３  ＰＦＣコンバータ回路
３０  圧縮機駆動用インバータ
３１  室外機制御回路
３４  圧縮機
３５  室外ファンモータ
３６  四方弁
５０、５２  ダイオードブリッジ
５１、５３ａ、５３ｂ、５３ｃ  平滑コンデンサ
５４  リアクタ
５５  第２のダイオードブリッジ
５６  スイッチング素子
１００  室内機
１０１  室外機
１０２  配電盤
１０３  コンセント
１０４  電源プラグ
【図１】
2012172913.tif 000003
【図２】
2012172913.tif 000004
【図３】
2012172913.tif 000005
【図４】
2012172913.tif 000006
【図６】
2012172913.tif 000007
【図７】
2012172913.tif 000008
【図８】
2012172913.tif 000009
【図９】
2012172913.tif 000010
【図１０】
2012172913.tif 000011
【図５】
2012172913.tif 000012